(57)【要約】【課題】  グリスフィルターの目詰まりを防止でき、掃除の手間暇を軽減できるだけではなく、グリスフィルターによって油の回収率を上げ、また吸込み口の露出を防止して吸込み口が開口することによる体裁の悪さの問題を解消する。【解決手段】  排気用の回転羽根１の前側に、排気ガス中の油を除去するためのグリスフィルター６を設ける。グリスフィルター６を、羽根６ａを有して略円盤形に形成すると共に、電動機７の回転軸７ａに取り付けて回転自在に設ける。このグリスフィルター６を介して流れる排気ガスを排気用の回転羽根１に導くと共に、排気ガス中の油を内面に付着させるための通路部９を、グリスフィルター６から排気用の回転羽根１にわたって設ける。この通路部９の下部に油の回収部１０を形成する。【選択図】      図１
2006038240.tif 000002
【特許請求の範囲】
【請求項１】
排気用の回転羽根の前側に、排気ガス中の油を除去するためのグリスフィルターが設けられているレンジフードであって、上記のグリスフィルターが、羽根を有して略円盤形に形成されると共に、電動機の回転軸に取り付けられて回転自在に設けられ、このグリスフィルターを介して流れる排気ガスを排気用の回転羽根に導くと共に、排気ガス中の油を内面に付着させるための通路部がグリスフィルターから排気用の回転羽根にわたって設けられ、この通路部の下部に油の回収部が形成されていることを特徴とするレンジフード。
【請求項２】
請求項１記載のレンジフードであって、グリスフィルターの羽根が、グリスフィルターの裏側に、放射線上において回転方向の側に上り傾斜状に交差し、且つ外周方向に傾斜してフィン状に複数形成され、この各羽根の屈曲部に沿って排気ガスの通気孔がグリスフィルターの前後方向に貫通してスリット状に、且つ羽根の前面と対向状に形成されていることを特徴とするレンジフード。
【請求項３】
請求項１又は２記載のレンジフードであって、グリスフィルターが、前方に向かって末広がりの円錐形に形成されていることを特徴とするレンジフード。
【請求項４】
請求項１乃至３の何れかに記載のレンジフードであって、電動機が可逆モータであり、この可逆モータの回転軸に排気用の回転羽根が一方向クラッチを介して取り付けられ、この回転軸の前端にグリスフィルターが回転羽根の回転方向と逆方向に回転可能に一方向クラッチを介して取り付けられていることを特徴とするレンジフード。
【請求項５】
請求項１乃至４の何れかに記載のレンジフードであって、グリスフィルターの前方に、人の体温を検知するとオンになり、グリスフィルターの回転停止信号を出力する赤外線センサを備えていることを特徴とするレンジフード。
【請求項６】
請求項１乃至５の何れかに記載のレンジフードであって、グリスフィルターの回転トルクが一定値を越えると、グリスフィルターと回転軸との結合を切断するクラッチ部材を備えていることを特徴とするレンジフード。
【発明の詳細な説明】
【技術分野】
【０００１】
本発明はレンジフードに関し、更に詳しくは調理時に発生する油煙等の排気ガスから油を分離除去できるよう形成したレンジフードに関するものである。
【背景技術】
【０００２】
従来この種のレンジフードとしては、例えば排気用の回転羽根の前側に、排気ガス中の油を除去するためのグリスフィルターが設けられているものがある（例えば特許文献１の図３参照）。
また従来、グリスフィルターによることなく排気ガスから油を除去するものとしては、例えばターボ形の第1の羽根を設けた油捕集部と、シロッコ形の第２の羽根を設けた送風部を備え、第1の羽根で油を慣性分離するよう構成しているものがある（特許文献１の図1等参照）。
【０００３】
而してグリスフィルターを排気用の回転羽根の前側に設ける場合は、グリスフィルターが目詰まりして油の分離性能が低下し、またこれを防止するため、掃除に多大な手間暇がかかる、という問題がある。
また特許文献1に係る従来品は、このような問題を解決できるものの、これによるとグリスフィルターがない分、第1、第２の羽根やフード内が汚れ易くなり、またコンロの前に立つと、吸込み口が丸見えになるため見栄えが悪い、という問題点があった。
【特許文献１】特開平１０−１７００４５号公報
【発明の開示】
【発明が解決しようとする課題】
【０００４】
本発明は、このような従来技術の問題点に鑑み、提案されたものである。
従って本発明の解決しようとする技術的課題は、グリスフィルターの目詰まりを防止でき、掃除の手間暇を軽減できるだけではなく、グリスフィルターによって油の回収率を上げ、また吸込み口の露出を防止して吸込み口が開口することによる体裁の悪さの問題を解消できるよう形成したレンジフードを提供することにある。
【課題を解決するための手段】
【０００５】
本発明は、上記の課題を解決するため、次のような技術的手段を採る。
即ち本発明は、図１等に示されるように、排気用の回転羽根１の前側に、排気ガス中の油を除去するためのグリスフィルター６が設けられているレンジフードであって、上記のグリスフィルター６が、羽根６ａを有して略円盤形に形成されると共に、電動機７の回転軸７ａに取り付けられて回転自在に設けられ、このグリスフィルター６を介して流れる排気ガスを排気用の回転羽根１に導くと共に、排気ガス中の油を内面に付着させるための通路部９がグリスフィルター６から排気用の回転羽根１にわたって設けられ、この通路部９の下部に油の回収部１０が形成されていることを特徴とする（請求項１）。
【０００６】
ここで、略円盤形とは、グリスフィルター６の外形は円形の平たい板には限られず、その他例えば断面凸レンズ形、断面凹レンズ形、断面凹湾曲形等でも良い、ということを意味する。なお本発明の場合、通路部９の内面は、油の付着面積が広がるよう、例えば凹凸面状に形成されているのでも良い。
【０００７】
而して本発明の場合、グリスフィルター６の羽根６ａの形状、形成位置、形成密度、枚数、横方向の寸法等の形成態様は任意であるが、例えば図５、図９に示されるように、羽根６ａは、グリスフィルター６の裏側に、放射線Ｌ上において回転方向の側に上り傾斜状に交差し、且つ外周方向に傾斜してフィン状に複数形成され、この各羽根６ａの屈曲部６ｂに沿って排気ガスの通気孔８がグリスフィルター６の前後方向に貫通してスリット状に、且つ羽根６ａの前面と対向状に形成されているのが好ましい（請求項２）。
【０００８】
なぜならこれによると、通気孔８を介して流れる排気ガス中の油が羽根６ａの前面に付着し易くなり、グリスフィルター６が回転すると羽根６ａの前面が風圧を受け、付着した油が吹き飛ばされて油切れが良くなるからである。またこれによると、フィン状の羽根６ａにより油の付着面積が広がると共に、排気ガスが羽根６ａにまとわり付いたり、絡み付く度合いが高くなり、排気ガスが滞留し、排気ガス中の油の分離能力、除去能力が上がり、油の回収率が良くなるからである。ここで、放射線Ｌ上において回転方向の側に上り傾斜状に交差し、とは、グリスフィルター６の回転時に、羽根６ａの前面が風圧を受け易い状態に傾いている、ということを意味し、具体的には、図５等に示されるように、グリスフィルター６が反時計方向に回転するときは、グリスフィルター６を正面から見て羽根６ａが右肩上がりに形成されることにより達成される。なお羽根６ａは、グリスフィルター６の一部が裏側に折り曲げられて形成されるのでも、或は溶接等の手段で設けられているのでも良い。
【０００９】
また請求項１又は２に係る本発明は、グリスフィルター６が、前方に向かって末広がりの円錐形に形成されているのが好ましい（請求項３）。
【００１０】
なぜならこれによると、立ち上る油煙等の排気ガスを、グリスフィルター６の前面が抱え込むように捕集するため、グリスフィルター６が平板状の場合に比べ、油の付着率、回収率が良くなるからである。
【００１１】
また請求項１乃至３に係る本発明は、電動機７が可逆モータ１９であり、この可逆モータ１９の回転軸１９ａに排気用の回転羽根１が一方向クラッチ２０を介して取り付けられ、この回転軸１９ａの前端にグリスフィルター６が回転羽根１の回転方向と逆方向に回転可能に一方向クラッチ２１を介して取り付けられているのが好ましい（請求項４）。
【００１２】
なぜならこれによると、回転羽根１とグリスフィルター６の回転を１台のモータで行うことができ、製造コストを抑えることができると共に、レンジフードを小型化、省スペース化、軽量化できるからである。ここで、可逆モータ１９とはモータの回転方向を逆転させることができるモータであり、一方向クラッチ２０、２１は一定方向にだけ動力を伝達するクラッチである。
【００１３】
また請求項１乃至４に係る本発明は、グリスフィルター６の前方に、人の体温を検知するとグリスフィルター６の回転停止信号を出力する赤外線センサ１１を備えているのが好ましい（請求項５）。
【００１４】
なぜならこの場合は、調理者の手指などを検知するとグリスフィルター６の回転が停止するため、危険を回避でき、安全に使用できるからである。
【００１５】
また本発明は、グリスフィルター６の回転トルクが一定値を越えると、グリスフィルター６と回転軸７ａ、１９ａとの結合を切断するクラッチ部材１３（図４参照）を備えているのでも良い（請求項６）。
【００１６】
この場合は、調理者が例えば過ってグリスフィルター６に接触すると、電動機７（可逆モータ１９）とグリスフィルター６との接続が切れ、グリスフィルター６が回転軸７ａ、１９ａからフリーになる。従ってこれによると、グリスフィルター６との接触事故を防止でき、安全性を向上できる、という利点がある。なお本発明は、赤外線センサ１１とクラッチ部材１３の両方を備えている必要はなく、通常、少なくともその一方を備えているので良い。但し、両方を備えていても、使用上、何ら差し支えない。
【発明の効果】
【００１７】
本発明は、このようにグリスフィルター自体が回転するため、これによるとグリスフィルターの羽根等に付着した油を遠心分離でき、油の回収率を上げることができる。またこの場合、グリスフィルターには遠心力が働くため、グリスフィルターの目詰まりを防止でき、掃除の手間暇を軽減できる。
また本発明は、グリスフィルターで吸込み口の前面を覆い、吸込み口を隠すことができる。従ってこれによると、吸込み口の露出を防止できるから、吸込み口が露出することにより見栄えが悪い、という従来品の問題点を解消できる。
【発明を実施するための最良の形態】
【００１８】
以下、本発明を実施するための最良の形態を説明する。
図１等において、１は例えばシロッコ形の排気用の回転羽根である。この回転羽根１は、ケーシング２内に収納されてモータ３で回転され、前側の吸込み口４から排気ガスを吸込み、この排気ガスをケーシング２に接続されているダクト５に送り出すよう形成されている。
【００１９】
６は、排気ガス中の油を除去するためのグリスフィルターである。このグリスフィルター６は、回転羽根１の前側に設けられ、電動機７の回転軸７ａに鍔状に取り付けられて回転自在に形成されている。またこのグリスフィルター６は、羽根６ａを有し、前方に向かって末広がりの底の浅い円錐形に形成され、この実施形態ではフッ素加工により撥油処理され、油を分離し易くなっている。グリスフィルター６は、その他例えば酸化チタンなどで表面が親水処理され、油が浮き易くなるよう加工されているのでも良い。なおこの実施形態の場合、角度Ａ（図４参照）は、１０°に選定されている。
【００２０】
またグリスフィルター６の羽根６ａは、図５等に示されるように、グリスフィルター６の裏側に、放射線Ｌ上において回転方向の側に上り傾斜状に交差し、且つこの実施形態では中心から遠ざかるに連れて横方向の寸法が徐々に長い状態で外周方向に傾斜してフィン状に折り曲げ形成されている。またこの羽根６ａは、正面から見て全ての羽根６ａが各放射線Ｌを中心にして同じ角度で傾斜されている。８（図４、図５等参照）は、グリスフィルター６の前後方向に貫通して形成されている排気ガスの通気孔である。この通気孔８は、各羽根６ａの屈曲部６ｂに沿ってスリット状に、且つ羽根６ａの前面と対向状に、しかもこの例では中心から遠ざかるに連れて横方向の寸法が徐々に長い状態に形成されている。
【００２１】
９（図１、図８等参照）は、グリスフィルター６を介して流れる排気ガスを排気用の回転羽根１に導くと共に、排気ガス中の油を内面に付着させるための通路部であり、グリスフィルター６の円形に合わせて円筒状に形成されている。この通路部９の下部は、グリスフィルター６から遠心分離される油を受けるための油受け９ａに形成されている。１０は、油の回収部である。この回収部１０は、油受け９ａや回転羽根１から流れる油を回収できるよう、通路部９の下部に例えば凹孔状に形成されている。
【００２２】
１１（図１、図６参照）は、人の体温を検知するとオンになり、グリスフィルター６の回転停止信号を出力する赤外線センサである。この赤外線センサ１１は、この実施形態では庇状に形成された前側の覆い１２の内側前端部に設けられている。
【００２３】
また１３（図４参照）は、グリスフィルター６の回転トルクが一定値を越えると、グリスフィルター６と回転軸７ａとの結合を切断するクラッチ部材である。このクラッチ部材１３は、この実施形態では皿バネで形成され、皿バネのバネ圧で常時はグリスフィルター６と回転軸７ａとが接続され、グリスフィルター６に皿バネのバネ圧の限界を超える押圧力が前側から後方に向かって加わると、皿バネのバネ圧が効かなくなり、グリスフィルター６と回転軸７ａとの結合が切断され、グリスフィルター６が滑って回転軸７ａからフリーになるよう形成されている。
なお１４は、グリスフィルター６を回転軸７ａの回転方向に回転させるための一方向クラッチである。１５は回転軸７ａの先端部のカバーであり、１６（図１等参照）はスイッチ、１７は天井からの垂れ壁、１８（図３参照）は電源コードである。
【００２４】
次に本発明のレンジフードの作用を説明する。
先ずモータ３が駆動すると、回転羽根１が回転し、排気ガスがグリスフィルター６の通気孔８を介して吸込み口４から吸込まれる。排気ガス中の油は、通気孔８を通り抜ける際に羽根６ａの前面等に当たり、羽根６ａの前面等に付着する。そしてグリスフィルター６で油が除去された排気ガスは、回転羽根１の働きでダクト５を経て排気される。
次にグリスフィルター６に付着した油を回収除去する場合は、電動機７を駆動する。電動機７が駆動すると、グリスフィルター６が回転するため、その際の遠心力で羽根６ａやグリスフィルター６自体の前面等に付着している油が、周辺に飛散する。この飛び散った油は、通路部９の内面等に付着し、この内面等から自然落下したり伝わり落ち、油受け９ａから回収部１０に流れて回収される。
【００２５】
以上の処において、グリスフィルター６は、上例では斜め下方に向けられて傾斜状に設けられているが、本発明は、これに限定されるものではなく、図６等に示されるように、回転羽根１の前側に垂直状に設けられているのでも良い。
また本発明は、図６〜図８に示されるように、上記の電動機７が可逆モータ１９で構成され、この可逆モータ１９の回転軸１９ａに排気用の回転羽根１が一方向クラッチ２０を介して取り付けられ、この回転軸１９ａの前端にグリスフィルター６が回転羽根１の回転方向と逆方向に回転可能に一方向クラッチ２１を介して取り付けられているのでも良い。
【００２６】
この場合は、可逆モータ１９を駆動して回転軸１９ａが例えば正回転すると、排気用の回転羽根１が時計方向に回り、このときグリスフィルター６は一方向クラッチ２１の作用により回転しない。また可逆モータ１９が逆回転すると、排気用の回転羽根１が一方向クラッチ２０の作用により停止し、このときグリスフィルター６は反時計方向に回転する。グリスフィルター６の回転時は、グリスフィルター６に付着している油が遠心作用で分離され、回転羽根１の回転時は、回転羽根１に付着している油が遠心作用で分離される。そしてこれらの油は、図８に矢示されるように、油受け９ａを経て回収部１０で回収される。
【００２７】
また本発明の場合、グリスフィルター６の羽根６ａの形成態様は、上例に限定されるものではない。即ち本発明は、羽根６ａが、例えば図９に示されるように、グリスフィルター６の裏側に、放射線Ｌ上において回転方向の側に上り傾斜状に交差し、且つ外周方向に傾斜してフィン状に、しかも横方向の寸法が全て同じ長さで複数形成され、また外周部では油の付着面積が増加するよう、羽根６ａの枚数が増やされ、形成密度が高められているのでも良い。
【図面の簡単な説明】
【００２８】
【図１】本発明のレンジフードの好適な一実施形態を示し、図２のＩ−Ｉ線における断面図である。
【図２】同上レンジフードの正面図である。
【図３】同上レンジフードの平面図である。
【図４】同上レンジフードの要部拡大縦断面図である。
【図５】グリスフィルターの要部拡大正面図である。
【図６】同上レンジフードの他の実施形態を示す縦断面図である。
【図７】図６の実施形態に係るレンジフードの正面図である。
【図８】図６の実施形態に係るレンジフードの要部拡大縦断面図である。
【図９】グリスフィルターの他の実施形態を示す要部拡大正面図である。
【符号の説明】
【００２９】
１    排気用の回転羽根
６    グリスフィルター
６ａ  羽根
７    電動機
７ａ  回転軸
９    通路部
１０  油の回収部
【図１】
2006038240.tif 000003
【図２】
2006038240.tif 000004
【図３】
2006038240.tif 000005
【図４】
2006038240.tif 000006
【図５】
2006038240.tif 000007
【図６】
2006038240.tif 000008
【図７】
2006038240.tif 000009
【図８】
2006038240.tif 000010
【図９】
2006038240.tif 000011